(57)【要約】【課題】構造完全性を容易に破壊し、二度と使用されることができない使い捨ての注射器を提供する。【解決手段】ニードル手段と組み合わせて注射をした後、プランジャが引き続いて押されてキャリアが側壁に対し軸方向に沿ってバレルの小径部へ移動すると、湾曲セグメントは押圧領域のそれに沿う移動に径方向に押圧されて変形する。保持領域の保持セグメントへの係止を解除するので、その構造完全性を破壊し、二度と使用されることができない。【選択図】図８
2005329220.tif 000002
【特許請求の範囲】
【請求項１】
ニードル手段と組み合わせて注射器と使用される使い捨ての注射筒であって、
その軸方向上に互いに対向している前後２の開口端と、それぞれ該前後２の開口端から前記軸方向に沿って相対に延伸して連続している上、前記前開口端に連通している前通路が形成された小径部と、前記後開口端に連通している後通路が形成された大径部と、前記小径部と前記大径部との間に形成された肩部とからなっている周壁とを有するバレルと、
互いに対向している前後両端縁を有し、前記後通路内に摺動可能に設けられており、その前端縁が前記後通路内にあり、後端縁がいつも前記バレルの前記後開口端から外部へ露出していて外部から操作されることができるプランジャと、
前記プランジャの前記前端縁から前方へ延伸してなったテール部と、前記後通路内の前記テール部より前方にあって前記テール部と反対しているヘッド部と、前記テール部と前記ヘッド部との間に介在されており、且つ、前記テール部に近接した押圧領域と、前記ヘッド部に近接した保持領域とを有するミドル部とを有するキャリアと、
可撓性を持つ中空状のものであって、前記後通路内の前記キャリアより前方にあって前記肩部に面している前端壁と、前記前端壁の周辺と一体的に形成されている上、前記大径部に密封的な摺動ができるように係合されている密封端と、前記密封端から後方へ延伸し、後方への開口を有する末端をなしている側壁とを備えてなり、前記側壁が互いに反対した内外面を有し、該外面の前記末端を除くほぼあらゆる部分が前記大径部の内壁面と離れており、また、該内面が、前記押圧領域に突っ張られていて、注射後の前記前端壁が前記肩部に当接して阻止されている時、前記プランジャが引き続いて押されて前記キャリアが前記側壁に対し前記軸方向に沿って前記バレルの小径部へ移動すると、前記押圧領域のそれに沿う移動に径方向に押圧されて変形することができる湾曲セグメントと、前記保持領域を脱着可能に係止していて前記プランジャの注射後の引き続いて押されることにより前記保持領域から脱着し、前記キャリアの前記バレルの小径部への移動を許容させる保持セグメントとを有する密封手段とを備えていることを特徴とする使い捨ての注射筒。
【請求項２】
前記側壁の前記末端開口縁が前記大径部の内壁に密封的な摺動ができるように当接して前記側壁の外面と前記密封端と前記末端との間に圧縮可能な環状室を囲んでなっており、
それにより、前記プランジャの注射後の引き続いて押されることにより、前記環状室が圧縮されてさせること変形することができることを特徴とする請求項１に記載の使い捨ての注射筒。
【請求項３】
前記キャリアの前記ミドル部は、チューブ状のものであって、前記テール部から前記バレルの小径部へ一体的に延伸し且つその中に前記延伸端部に開口したキャビティーが形成され、該キャビティーの内壁が係合領域となっている押圧セグメントと、
チューブ状のものであって、前記ヘッド部から前記バレルの大径部の後開口端へ延伸して前記キャビティー内に挿入し且つその末端が前記係合領域に係合されていて、それが前記キャビティー内に更に挿入されるとその外周面がやはり前記係合領域に係止される保持セグメントとを有し、
それにより、前記プランジャの注射後の引き続いて押される際、前記ヘッド部が前記肩部に阻止されるので、前記押圧セグメントが前記プランジャと共に前記バレルの小径部へ移動し、前記保持セグメントの外周面が前記係合領域に係合され、前記キャリアが前記密封手段から容易に離脱することができることを特徴とする請求項２に記載の使い捨ての注射筒。
【請求項４】
前記押圧セグメントに、外気と連通している通気孔が形成されていることを特徴とする請求項３に記載の使い捨ての注射筒。
【請求項５】
前記側壁の前記末端開口縁は、前記プランジャの注射後の引き続いて押されることにより前記環状室が圧縮される時、それと前記バレルの内壁との間から空気が押し出されて前記側壁を吸盤のように前記内壁面に吸着させることができるように構成されていることを特徴とする請求項２に記載の使い捨ての注射筒。
【請求項６】
前記密封手段の前記前端壁の中心近くに遮断手段が前記バレルの小径部へ突出していて前記プランジャの注射後の引き続いて押されることにより前記前通路に差し込まれて前記前端壁と共に前記前通路を塞ぐことができることを特徴とする請求項１に記載の使い捨ての注射筒。
【請求項７】
前記密封手段の前記前端壁の中心近くに通孔が開設してあり、また、前記キャリアの前記ヘッド部の前端面の前記中心通孔と対応する箇所に遮断手段が前記中心通孔を通して前記バレルの小径部へ突出していて前記プランジャの注射後の引き続いて押されることにより前記前通路に差し込まれて前記前通路を塞ぐことができることを特徴とする請求項１に記載の使い捨ての注射筒。
【請求項８】
前記遮断手段は長棒状であって、その周面に前記小径部の前記前通路内に係合される複数のリブが形成されていることを特徴とする請求項６または７に記載の使い捨ての注射筒。
【請求項９】
前記遮断手段の長棒状の先端はそれらの間の隙間が徐々に広がるように二股に分かれていて該遮断手段が前通路に差し込まれると前記前通路内に前記小径部としっかりと係合すことができることを特徴とする請求項６または７に記載の使い捨ての注射筒。
【請求項１０】
前記キャリアに挿入孔が形成されており、該挿入孔は前記軸方向に沿って前記ミドル部を貫通してから前記ヘッド部に開口し、且つその内部に挟持周壁が形成されている上、径方向に可撓性があって前記遮断手段を後から脱着可能に挟持していて前記遮断手段が前記前通路に差し込まれた後、前記プランジャが前記バレルの開口端へ引っ張られることにより前記遮断手段から脱着して前記プランジャを前記バレルの開口端へ移動させることができることを特徴とする請求項７に記載の使い捨ての注射筒。
【請求項１１】
前記遮断手段に被挟持端と挿入ヘッドとが形成されており、
該被挟持端は前記バレルの後開口端へ突出して前記挿入孔内に挿入し且つ前記挟持周壁に挟持されており、
該挿入ヘッドが前記被挟持端と反対側にあって前記バレルの小径部へ突出していて前記プランジャの注射後の引き続いて押されることにより前記中心通孔を通してから前記前通路に差し込まれることができることを特徴とする請求項１０に記載の使い捨ての注射筒。
【請求項１２】
前記ミドル部は、前記押圧領域から後方へ延伸している引張り領域を有し、また、前記側壁の前記内面は前記湾曲セグメントと前記保持セグメントとの間に介在されていて注射後の前記前端壁が前記肩部に当接して阻止されている時、前記プランジャが引き続いて押されて前記キャリアが更に挿入されると前記引張り領域と係合する引張りセグメントを有し、
それにより、前記遮断手段が前記前通路に差し込まれた後、前記プランジャが前記バレルの開口端へ引っ張られることにより前記前記挟持周壁が前記遮断手段から脱着して前記キャリアと前記プランジャとを前記バレルの開口端へ移動させる時、前記引張り領域が後方へ前記引張りセグメントを押し付けて前記密封手段を前記前通路に差し込まれた遮断手段から分離させることができることを特徴とする請求項１１に記載の使い捨ての注射筒。
【請求項１３】
前記密封手段の前記前端壁の中心近くに通孔が開設してあり、また、前記キャリアの前記ヘッド部の前端面の前記中心通孔と対応する箇所に突出部が前記中心通孔を通して前記バレルの小径部へ突出していて前記プランジャの注射後の引き続いて押されることにより前記前通路に差し込まれて前記前通路を塞ぎ、また、引き続いて前記プランジャが前記バレルの開口端へ引っ張られることにより前記記密封手段を前記バレルの肩部と当接しているところに残したまま前記密封手段と分離して前記キャリア及び前記プランジャと共に前記バレルの開口端へ移動することができることを特徴とする請求項１に記載の使い捨ての注射筒。
【請求項１４】
前記キャリアと前記密封手段との間は液密的に構成されていることを特徴とする請求項１〜１３のいずれかの一項に記載の使い捨ての注射器。
【発明の詳細な説明】
【技術分野】
【０００１】
本発明は、注射筒に関し、もっと詳しくは、使い捨ての注射筒に関する。
【背景技術】
【０００２】
従来の使い捨ての注射筒は、図１及び図２に示すように、バレル１１と、プランジャ１３と、密封手段１４と、プラグ１５とを備えていてニードル手段１２と組み合わせて注射器と使用される。
【０００３】
バレル１１は、その軸方向に互いに対向している前後２の開口端１１１，１１２と、該前後２の開口端１１１，１１２の開口を連通している通路１１３が形成され、且つ、前開口端１１１に近接している小径部１１４と後開口端１１２に近接している大径部１１５とからなっている周壁１１６と、小径部１１４と大径部１１５との間に形成されている肩部１１７とを有する。
【０００４】
使用時、ニードル手段１２はバレル１１の前開口端１１１に外嵌している。プランジャ１３は、摺動可能にバレル１１の大径部１１５内に配置されており、且つ、その前端にテーパ状のヘッド１３１が形成されている。密封手段１４は、バレル１１の大径部１１５の通路１１３内に密封的な摺動ができるようにヘッド１３１に外嵌している。そして、該密封手段１４に外気と連通している通気孔１３２が形成されている。また、プラグ１５は脱着可能に密封手段１４に差し込まれて結合され通気孔１３２を密封している。プラグ１５に、密封手段１４から前方へ突出している嵌部１５１が形成されている。また、周壁１１６の内面に、肩部１１７に近接した保持リング１１８が形成されている。
【０００５】
注射が完了した後、進んでプランジャ１４をバレル１１の前開口端１１１へ押し付けて密封手段１４をバレル１１の肩部１１７に当接させ、プラグ１５を小径部１１４内に差し込んでプラグ１５の嵌部１５１を保持リング１１８に係合させ、プランジャ１４をバレル１１の後開口端１１２へ引っ張ると、プラグ１５を保持リング１１８に係合させたまま、密封手段１４と分離し、且つそれによって通気孔１３２の密封を解除してプランジャ１３の機能を崩すことができる。それにより、注射器の構造完全性は破壊され、二度と使用されないような状態になる。
【発明の開示】
【発明が解決しようとする課題】
【０００６】
しかしながら、嵌部１５１が押し付けられて保持リング１１８に係合された時、偶にプラグ１５と密封手段１４との間の結合力が嵌部１５１と保持リング１１５との間の係合力より大であってプラグ１５が密封手段１４から分離されない不都合が起こることがある。よって、注射後の注射器が回収されて再利用され、血液の感染を起こすおそれがある。
【０００７】
上記に鑑みて、本発明の目的は、その構造完全性を容易に破壊し、二度と使用されることができない使い捨ての注射器を提供しようとすることにある。
【課題を解決するための手段】
【０００８】
前記目的を達成するために、本発明は、ニードル手段と組み合わせて注射器と使用されるものであって、バレルと、プランジャと、キャリアと、密封手段とをそれぞれ以下のように備えている使い捨ての注射筒を提供する。前記バレルは、その軸方向に互いに対向している前後２の開口端と、それぞれ該前後２の開口端から前記軸方向に沿って相対に延伸して連続している上、前記前開口端に連通している前通路が形成された小径部と、前記後開口端に連通している後通路が形成された大径部と、前記小径部と前記大径部との間に形成された肩部とからなっている周壁とを有する。
【０００９】
前記プランジャは、互いに対向している前後両端縁を有し、前記後通路内に摺動可能に設けられており、その前端縁が前記後通路内にあり、後端縁がいつも前記バレルの前記後開口端から外部へ露出していて外部から操作されることができる。
【００１０】
前記キャリアは、前記プランジャの前記前端縁から前方へ延伸してなったテール部と、前記後通路内の前記テール部より前方にあって前記テール部と反対しているヘッド部と、前記テール部と前記ヘッド部との間に介在され、前記テール部に近接した押圧領域と、前記ヘッド部に近接した保持領域とからなったミドル部とを有する。
【００１１】
前記密封手段は、可撓性を持つ中空状のものであって、前記後通路内の前記キャリアより前方にあって前記肩部に面している前端壁と、前記前端壁の周辺と一体的に形成されている上、前記大径部に密封的な摺動ができるように係合されている密封端と、前記密封端から後方へ延伸し、後方への開口を有する末端をなしている側壁とを備えてなり、前記側壁が互いに反対した内外両面を有し、該外面の前記末端を除くほぼあらゆる部分が前記大径部の内壁面と離れており、また、該内面が、前記押圧領域に突っ張られていて、注射後の前記前端壁が前記肩部に当接して阻止されている時、前記プランジャが引き続いて押されて前記キャリアが前記側壁に対し前記軸方向に沿って前記バレルの小径部へ移動すると、前記押圧領域のそれに沿う移動に径方向に押圧されて変形することができる湾曲セグメントと、前記保持領域を脱着可能に係止していて前記プランジャの注射後の引き続いて押されることにより前記保持領域から脱着し、前記キャリアの前記バレルの小径部へ移動を許容させる保持セグメントとを有する。
【発明の効果】
【００１２】
上記構成によると、本発明の使い捨ての注射筒は、ニードル手段と組み合わせて注射をした後、前記プランジャが引き続いて押されて前記キャリアが前記側壁に対し前記軸方向に沿って前記バレルの小径部へ移動すれば、前記湾曲セグメントは前記押圧領域のそれに沿う移動に径方向に押圧されて変形することができるため、前記保持領域の前記保持セグメントへの係止を解除するので、その構造完全性を破壊し、二度と使用されることができない。
【発明を実施するための最良の形態】
【００１３】
以下、図面を参照しながら、本発明の使い捨ての注射筒の好ましい実施形態を説明する。
【００１４】
先ず、図３及び図４を参照しながら、本発明の第１の実施形態の使い捨ての注射筒を説明する。図示のように、本実施形態における使い捨ての注射筒は、バレル２と、プランジャ４と、キャリア５と、密封手段６とを備えていてニードル手段３と組み合わせて注射器と使用される。また、ニードル手段３は、通常、図３に示されているように、ニードルハブ３１と、ニードルハブ３１に固着されているニードルカニューレ３２とを備えている。
【００１５】
バレル２は、その軸方向上に互いに対向している前後２の開口端２３１，２３２と、それぞれ前後２の開口端２３１，２３２から前記軸方向に沿って相対に延伸して連続している上、前開口端２３１に連通していて使用時にニードル手段３のニードルカニューレ３２と連通する前通路２２が形成された小径部と、後開口端２３２に連通している後通路２１が形成された大径部と、前記小径部と前記大径部との間に形成された肩部２４とからなっている周壁２３とを有する。
【００１６】
プランジャ４は、互いに対向している前後両端縁４１，４２を有し、後通路２１内に摺動可能に設けられており、その前端縁４１が後通路２１内にあり、後端縁４２がいつもバレル２の後開口端２３２から外部へ露出していて外部から操作されることができる。
【００１７】
キャリア５は、プランジャ４の前端縁４１から前方へ延伸してなったテール部５１７と、後通路２１内のテール部５１７より前方にあってテール部５１７と反対しているヘッド部５２３と、テール部５１７とヘッド部５２３との間に介在されており、且つ、テール部５１７に近接した押圧領域と、ヘッド部５２３に近接した保持領域とを有するミドル部とを有する。この実施形態例において、キャリア５の前記ミドル部は、チューブ状の押圧セグメント５１と、チューブ状の保持セグメント５２との両分離体からなっている。
【００１８】
押圧セグメント５１は、テール部５１７からバレル２の小径部へ一体的に延伸し且つその中に前記延伸端部に開口したキャビティー５１１が形成され、該キャビティー５１１の内壁が係合領域５１４となっており、その外周面がテール部５１７から延伸端部へやや集束していて押圧領域５１６となっている。なお、押圧セグメント５１に、外気と連通している通気孔５１５が形成されている。そして、保持セグメント５２は、ヘッド部５２３からバレル２の大径部の後開口端２３２へ延伸してキャビティー５１１内に挿入し且つその末端５２４が係合領域５１４に係合されていて、それがキャビティー５１１内の突き当たりまで更に挿入されるとそこにその外周面５２１もやはり係合領域５１４に係止される。また、保持セグメント５２の外周面５２１に、押圧セグメント５１外に露出している２の環状溝５２５，５２６及び２の環状溝５２５，５２６の間に保持領域としての突起５２７が形成されている。
【００１９】
密封手段６は、可撓性を持つ中空状のものであって、後通路２１内のキャリア５より前方にあって肩部２４に面している前端壁６１３と、前端壁６１３の周辺と一体的に形成されている上、前記大径部に密封的な摺動ができるように係合されている密封端６１５と、密封端６１５から後方へ延伸し、後方への開口を有する末端６１６をなしている側壁６１２とを備えている。また、側壁６１２が互いに反対した内外両面６１７，６２２を有する。外面６２２の末端６１６を除くほぼあらゆる部分が前記大径部の内壁面と離れている。そして、側壁６１２の末端開口縁は、大径部の内壁に密封的な摺動ができるように当接して側壁６１２の外面６２２と密封端６１５と末端６１６との間に圧縮可能な環状室６２１を囲んでおり、プランジャ４の注射後の引き続いて押されることにより環状室６２１が圧縮される時、それとバレル２の内壁との間から空気が押し出されて側壁６１２を吸盤のようにバレル２の内壁面に吸着させることができるように構成されている。
【００２０】
それにより、プランジャ４の注射後の引き続いて押されることにより、環状室６２１が圧縮されて変形することができる。また、該内面６１７が、湾曲セグメント６１０と、保持セグメント６１８とを有する。湾曲セグメント６１０は、押圧領域５１６に突っ張られていて、注射後の前端壁６１３が肩部２４に当接して阻止されている時、プランジャ４が引き続いて押されてキャリア５が側壁６１２に対し前記軸方向に沿ってバレル２の小径部へ移動すると、押圧領域５１６のそれに沿う移動に径方向に押圧されて変形することができる。保持セグメント６１８は、保持領域５２７を脱着可能に係止していてプランジャ４の注射後の引き続いて押されることにより保持領域５２７から脱着し、キャリア５のバレル２の小径部への移動を許容させる。密封手段６の湾曲セグメント６１０が押圧領域５１６に突っ張られている上、保持セグメント６１８が保持領域５２７を係止していて通気孔５１５を密封している。つまり、キャリア５と密封手段６との間は液密的に構成されている。
【００２１】
図５乃至図７に示すように、注射が完了した後、密封手段６の前端壁６１３が肩部２４に当接したまま、プランジャ４が引き続いて押されてキャリア５が側壁６１２に対し前記軸方向に沿ってバレル２の小径部へ移動すると、湾曲セグメント６１０が押圧領域５１６のそれに沿う移動に径方向に押圧されて変形し、前記保持領域５２７の前記保持セグメント６１８への係止が解除され、押圧セグメント５１がプランジャ４と共にバレル２の小径部へ移動し、それに対し、保持セグメント５２がキャビティー５１１内の突き当たりまで更に挿入し、そこにその外周面５２１が係合領域５１４に係合される。この場合、環状室６２１が圧縮され、側壁６１２の末端開口縁とバレル２の内壁との間から空気が押し出されて側壁６１２が吸盤のようにバレル２の内壁面に吸着させられる。その後、図８に示すように、プランジャ４がバレル２の後開口端２３２へ引っ張れると、その時、密封手段６がバレル２の内壁面に吸着したので、キャリア５がそれをそこに残すまま分離し、プランジャ４と共にバレル２の後開口端へ移動し、且つ、それによって通気孔５１５の密封を解除してプランジャ４の機能を崩すことができる。それにより、注射器の構造完全性は破壊され、二度と使用されないような状態になる。
【００２２】
次に、図９に示すのは、本発明の使い捨ての第２の実施形態である。本実施形態において前記第１の実施形態と異なる点は、密封手段６の前端壁６１３の中心近くに長棒状の遮断手段６２３がバレル２の小径部へ突出していることにある。なお、遮蔽手段６２３の周面に小径部の前通路２２内に係合される複数のリブ６２５が形成されている。それにより、プランジャ４の注射後の引き続いて押されることにより、前通路２２に差し込まれて前端壁６１３と共に前通路２２を塞ぐことができる。従って、プランジャ４がバレル２の後開口端２３２へ引っ張れると、密封手段６がバレル２の内壁面に吸着させる上、遮断手段６２３が前通路２２に塞いだまま、キャリア５と容易に分離し、キャリア５がプランジャ４と共にバレル２の後開口端へ移動することができる。
【００２３】
そして、図１０に示すのは、前記第２の実施形態の変形例である。この変形例の前記第２の実施形態と異なる点は、遮蔽手段６２３の長さが前通路２２全体を塞ぐほど前記第２の実施形態における遮蔽手段６２３より長いことにある。
【００２４】
次に、図１１乃至図１３に示すのは本発明の第３の実施形態である。本実施形態において、前記第１の実施形態と異なる点は、密封手段６の前端壁６１３の中心近くに通孔６１９が開設してあり、また、キャリア５のヘッド部５２３の前端面の中心通孔６１９と対応する箇所に突出部５３が中心通孔６１９を通してバレル２の小径部へ突出していることにある。この突出部５３は、プランジャ４の注射後の引き続いて押されることにより前通路２２に差し込まれて前通路２２を塞ぎ、また、引き続いてプランジャ４がバレルの後開口端２３２へ引っ張られることにより密封手段６をバレル２の肩部２４と当接しているところに残したまま密封手段６と分離してキャリア５及びプランジャ４と共にバレル２の後開口端２３２へ移動することができる
続いて、図１４に示すのは前記第３の実施形態の変形例である。この変形例の前記第３の実施形態と異なる点は、突出部５３の長さが前通路２２全体を塞ぐほど前記第３の実施形態における突出部５３より長いことにある。
【００２５】
次に、図１５及び図１６に示すのは本発明の第４の実施形態である。本実施形態において、前記第１の実施形態と異なる点は、密封手段６の前端壁６１３の中心近くに通孔６１９が開設してあり、また、キャリア５のヘッド部５２３の前端面の中心通孔６１９と対応する箇所に遮断手段６３が中心通孔６１９を通してバレル２の小径部へ突出していることにある。なお、遮断手段６３に複数のリブ６３１が形成されている。この遮断手段６３は、プランジャ４の注射後の引き続いて押されることにより、前通路２２に差し込まれて前通路２２を塞ぎ、また、引き続いてプランジャ４がバレル２の後開口端２３２へ引っ張られること及び複数のリブ６３１と前通路２２との間のしっかりとした係止により、密封手段６のバレル２の肩部２４と当接しているところに残ったように、前通路２２内に残ったまま、押圧セグメント５１を保持セグメント５２と分離させてプランジャ４と共にバレル２の後開口端２３２へ移動させることができる。
【００２６】
そして、図１７に示すのは前記第４の実施形態の変形例である。この変形例の前記第４の実施形態と異なる点は、遮断手段６４の長さが前通路２２全体を塞ぐほど前記第４の実施形態における遮断手段６３より長いことにある。
【００２７】
そして、図１８に示すのは前記第４の実施形態の他の変形例である。この変形例の前記第４の実施形態と異なる点は、遮断手段６５の長棒状の先端６５１はそれらの間の隙間が徐々に広がるように前方へ二股に分かれていることにある。それにより、該遮断手段６５が前通路２２に差し込まれると、前通路２２内に前記小径部としっかりと係合すことができる。
【００２８】
次に、図１９乃至図２１に示すのは、本発明の第５の実施形態である。本実施形態において前記第１の実施形態と異なる点はキャリア５のテール部５１７とヘッド部５２３とは一体的に形成されており、キャリア５に挿入孔５６が形成されており、該挿入孔５６は前記軸方向に沿ってミドル部を貫通してからヘッド部５２３に開口していることにある。それにより、キャリア５が径方向に可撓性があってプランジャ４の注射後の引き続いて押される際、密封手段６の側壁６１２を押圧しながら変形され、保持領域５２７の保持セグメント６１８への係止から解除され、バレル２の小径部へ移動し、押圧領域５１６で密封手段６の側壁６１２を押圧してバレル２の内壁面に吸着させることがより容易になる。
【００２９】
次に、図２２に示すのは本発明の第６の実施形態である。本実施形態において、前記第５の実施形態と異なる点は、密封手段６の前端壁６１３の中心近くに長棒状の遮断手段６２３がバレル２の小径部へ突出していることにある。なお、遮断手段６２３の周面に小径部の前通路２２内に係合される複数のリブ６２５が形成されている。この遮断手段６２３は、プランジャ４の注射後の引き続いて押されることにより、前通路２２に差し込まれて前端壁６１３と共に前通路２２を塞ぎ、また、プランジャ４がバレル２の後開口端２３２へ引っ張れる際、複数のリブ６２５と前通路２２との間のしっかりとした係止により、側壁６１２のバレル２の内壁面に吸着したことと共に、密封手段６をバレル２の肩部２４と当接しているところに残したままキャリア５と容易に分離させ、キャリア５をプランジャ４と共にバレル２の後開口端へ移動させることができる。
【００３０】
そして、図２３に示すのは前記第６の実施形態の変形例である。この変形例の前記第６の実施形態と異なる点は、遮断手段６２３の長さが前通路２２全体を塞ぐほど前記第６の実施形態における遮断手段６２３より長いことにある。
【００３１】
次に、図２４に示すのは本発明の第７の実施形態である。本実施形態において、前記第５の実施形態と異なる点は、挿入孔５６の内部に挟持周壁５５が形成されている上、径方向に可撓性があって遮断手段６７を後から脱着可能に挟持していることにある。もっと詳しく説明すると、遮断手段６７に被挟持端６７４と挿入ヘッド６７７とが形成されている。該被挟持端６７４はバレル２の後開口端２３２へ突出して挿入孔５１６内に挿入し且つ挟持周壁５５に挟持されている。該挿入ヘッド６７７が被挟持端６７４と反対側にあってバレル２の小径部へ突出していてプランジャ４の注射後の引き続いて押されることにより密封手段６の前端壁６１３の中心近くに形成された通孔６１９を通してから前通路２２に差し込まれることができる。そして、被挟持端６７４と挿入ヘッド６７７との間に当接環６７２が形成されている。なお、挿入ヘッド６７７に複数のリブ６７５が形成されている。それにより、遮断手段６７の挿入ヘッド６７７が前通路２２に差し込まれて当接環６７２が密封手段６の前端壁６１３に当接された後、プランジャ４がバレル２の後開口端２３２へ引っ張られることにより、挿入孔５６が遮断手段６７から脱着してプランジャ４をバレル２の後開口端２３２へ移動させることができる。
【００３２】
そして、図２５に示すのは、前記第７の実施形態の変形例である。この変形例において、前記第７の実施形態と異なる点は、遮断手段６８の長さが前通路２２全体を塞ぐほど前記第７の実施形態における遮断手段６７より長いことにある。
【００３３】
そして、図２６に示すのは前記第７の実施形態の他の変形例である。この変形例において、前記第７の実施形態と異なる点は、遮断手段６９の長棒状の先端６９５はそれらの間の隙間が徐々に広がるように前方へ二股に分かれていることにある。それにより、該遮断手段６９が前通路２２に差し込まれると、前通路２２内に前記小径部としっかりと係合すことができる。
【００３４】
次に、図２７に示すのは本発明の第８の実施形態である。本実施形態において、前記第７の実施形態と異なる点は、挿入孔５６に遮断手段６７，６８，６９が必要に応じて選択的に挿入され、また、前記第７の実施形態における当接環６７２のような構造がないことにある。
【００３５】
次に、図２８に示すのは本発明の第９の実施形態である。本実施形態において、前記第８の実施形態と異なる点は、押圧領域５１６が平面になっていることにある。それにより、湾曲セグメント６１０が押圧領域５１６のそれに沿う移動に径方向に押圧されて変形した時、側壁６１２は一部だけがバレル２の内壁面に吸着させられるが、プランジャ４がバレル２の後開口端２３２へ引っ張れると、遮断手段６７，６８，６９のいずれかが前端壁６１３と共に前通路２２を塞いだまま、キャリア５と分離し、キャリア５がプランジャ４と共にバレル２の後開口端２３２へ移動することができる。よって、本実施形態の注射筒の構造完全性はやはり破壊されることができる。
【００３６】
次に、図２９及び図３０に示すのは本発明の第１０の実施形態である。本実施形態において、前記第６の実施形態と異なる点は、キャリア５のミドル部にそれぞれ押圧領域５１６及び保持領域５２７としての２の歯状突起が形成されており、密封手段６の側壁６１２にそれぞれ湾曲セグメント６１０及び保持セグメント６１８としての２の環状溝が形成されていることにある。
【００３７】
そして、図３１に示すのは前記第１０の実施形態の変形例である。この変形例の前記第１０の実施形態と異なる点は、遮断手段６２３の長さが前通路２２全体を塞ぐほど前記第２の実施形態における遮断手段６２３より長いことにある。
【００３８】
次に、図３２及び図３３に示すのは本発明の第１１の実施形態である。本実施形態において、前記第１０の実施形態と異なる点は、遮断手段６７及びミドル部の構造にある。もっと詳しく説明すると、遮断手段６７に被挟持端６７４と挿入ヘッド６７７とが形成されている。該被挟持端６７４はバレル２の後開口端２３２へ突出して挿入孔５６内に挿入し且つ挟持周壁５５に挟持されている。また、該被挟持端６７４に複数のリブ６７３が形成されている。該挿入ヘッド６７７が被挟持端６７４と反対側にあってバレル２の小径部へ突出していてプランジャ４の注射後の引き続いて押されることにより密封手段６の前端壁６１３の中心近くに形成された通孔６１９を通してから前通路２２に差し込まれることができる。また、挿入ヘッド６７７に複数のリブ６７５が形成されている。
【００３９】
そして、前記ミドル部は、押圧領域５１６から後方へ延伸している引張り領域５７を有する。また、側壁６１２の前記内面は湾曲セグメント６１０と保持セグメント６１８との間に介在されていて注射後の前端壁６１３が肩部２４に当接して阻止されている時、プランジャ４が引き続いて押されてキャリア５が更に挿入されると引張り領域５７と係合する引張りセグメント６２を有する。それにより、遮断手段６７が前通路２２に差し込まれた後、プランジャ４がバレル２の後開口端２３２へ引っ張られることにより挟持周壁５５が遮断手段６７から脱着してキャリア５とプランジャ４とをバレル２の後開口端２３２へ移動させる時、引張り領域５７が後方へ引張りセグメント６２を押し付けて密封手段６を前通路２２に差し込まれた遮断手段６７から分離させることができる。
【００４０】
そして、図３４に示すのは、前記第１１の実施形態の変形例である。この変形例の前記第１１の実施形態と異なる点は、遮断手段６８の長さが前通路２２全体を塞ぐほど前記第７の実施形態における遮断手段６７より長いことにある。
【００４１】
そして、図３５に示すのは、前記第１１の実施形態の他の変形例である。この変形例の前記第１１の実施形態と異なる点は、遮断手段６９の長棒状の先端６９５はそれらの間の隙間が徐々に広がるように前方へ二股に分かれていることにある。
【００４２】
次に、図３６及び図３７に示すのは本発明の第１２の実施形態である。本実施形態において前記第１１の実施形態と異なる点は、押圧領域５１６が形成された押圧セグメント５１と保持領域５２７が形成された保持セグメント５２とは別体であり、遮蔽手段６７が一体的にヘッド部５２３に形成されていることにある。それにより、遮断手段６７が前通路２２に差し込まれた後、ヘッド部５２３が密封手段６の前端壁６１３と共にバレル２の肩部２４に当接したところに残したまま、プランジャ４がバレル２の後開口端２３２へ引っ張られると、挿入孔５６が遮断手段６７から脱着して押圧セグメント５１をプランジャ４と共にバレル２の後開口端２３２へ移動させることができる。
【００４３】
そして、図３８に示すのは前記第１２の実施形態の変形例である。本変形例において前記第１２の実施形態と異なる点は、遮断手段６８の長さが前通路２２全体を塞ぐほど前記第１１の実施形態における遮断手段６７より長いことにある。
【００４４】
そして、図３９に示すのは前記第１２の実施形態の他の変形例である。本変形例において前記第１２の実施形態と異なる点は、遮断手段６９の長棒状の先端６９５はそれらの間の隙間が徐々に広がるように前方へ二股に分かれていることにある。
【産業上の利用可能性】
【００４５】
上述した実施形態から分かるように、本発明の使い捨ての注射筒は、前記湾曲セグメントは前記押圧領域のそれに沿う移動に径方向に押圧されて変形することができるため、前記保持領域の前記保持セグメントへの係止を解除するので、前記キャリアと前記密封手段とを容易に分離したり、前記遮断手段をバレルの前通路に塞いだりすることにより、その構造完全性を破壊し、二度と使用されることができない。
【図面の簡単な説明】
【００４６】
【図１】従来の使い捨ての注射筒を示す断面図。
【図２】前記図１の使い捨ての注射筒におけるプラグを密封手段と分離した状態を示す断面図。
【図３】本発明の第１の実施形態の使い捨ての注射筒を示す分解図。
【図４】前記第１の実施形態の使い捨ての注射筒が注射の状態を示す断面図。
【図５】前記第１の実施形態の使い捨ての注射筒の注射が完了した状態を示す断面図。
【図６】前記第１の実施形態の使い捨ての注射筒におけるキャリアを密封手段と分離する動作を示す断面図。
【図７】前記第１の実施形態の使い捨ての注射筒におけるキャリアを密封手段と分離する動作を示す断面図。
【図８】前記第１の実施形態の使い捨ての注射筒におけるキャリアを密封手段と分離する動作を示す断面図。
【図９】本発明の第２の実施形態の使い捨ての注射筒におけるキャリアを密封手段と分離する動作を示す断面図。
【図１０】前記第２の実施形態の変形例におけるキャリアを密封手段と分離する動作を示す断面図。
【図１１】本発明の第３の実施形態の使い捨ての注射筒が注射の状態を示す断面図。
【図１２】前記第３の実施形態の使い捨ての注射筒におけるキャリアを密封手段と分離する動作を示す断面図。
【図１３】前記第３の実施形態の使い捨ての注射筒におけるキャリアを密封手段と分離する動作を示す断面図。
【図１４】前記第３の実施形態の変形例におけるキャリアを密封手段と分離した状態を示す断面図。
【図１５】本発明の第４の実施形態の使い捨ての注射筒におけるキャリアを密封手段と遮断手段と分離する動作を示す断面図。
【図１６】本発明の第４の実施形態の使い捨ての注射筒におけるキャリアを密封手段と遮断手段と分離する動作を示す断面図。
【図１７】前記第４の実施形態の変形例の使い捨ての注射筒におけるキャリアを密封手段と遮断手段と分離した状態を示す断面図。
【図１８】前記第４の実施形態の他の変形例の使い捨ての注射筒におけるキャリアを密封手段と遮断手段と分離した状態を示す断面図。
【図１９】本発明の第５の実施形態の使い捨ての注射筒が注射の状態を示す断面図。
【図２０】前記第５の実施形態におけるキャリアを密封手段と分離する動作を示す断面図。
【図２１】前記第５の実施形態におけるキャリアを密封手段と分離する動作を示す断面図。
【図２２】本発明の第６の実施形態の使い捨ての注射筒におけるキャリアを密封手段と分離した状態を示す断面図。
【図２３】前記第６の実施形態の変形例におけるキャリアを密封手段と分離した状態を示す断面図。
【図２４】本発明の第７の実施形態の使い捨ての注射筒におけるキャリアを密封手段と遮断手段とを分離した状態を示す断面図。
【図２５】前記第７の実施形態の変形例におけるキャリアを密封手段と遮断手段とを分離した状態を示す断面図。
【図２６】前記第７の実施形態の他の変形例ににおけるキャリアを密封手段と遮断手段とを分離した状態を示す断面図。
【図２７】本発明の第８の実施形態の使い捨ての注射筒を示す分解図。
【図２８】本発明の第９の実施形態の使い捨ての注射筒を示す分解図。
【図２９】本発明の第１０の実施形態の使い捨ての注射筒を示す部分断面図。
【図３０】前記第１０の実施形態におけるキャリアを密封手段と分離した状態を示す断面図。
【図３１】前記第１０の実施形態の変形例におけるャリアを密封手段と分離した状態を示す断面図。
【図３２】本発明の第１１の実施形態の使い捨ての注射筒を示す部分断面図。
【図３３】前記第１１の実施形態における密封手段及びキャリアを遮断手段と分離した状態を示す断面図。
【図３４】前記第１１の実施形態の変形例における密封手段及びキャリアを遮断手段と分離した状態を示す断面図。
【図３５】前記第１１の実施形態の他の変形例における密封手段及びキャリアを遮断手段と分離した状態を示す断面図。
【図３６】本発明の第１２の実施形態の使い捨ての注射筒を示す部分断面図。
【図３７】前記第１２の実施形態におけるキャリアを密封手段と遮断手段と分離した状態を示す断面図。
【図３８】前記第１２の実施形態の変形例におけるキャリアを密封手段と遮断手段と分離した状態を示す断面図。
【図３９】前記第１２の実施形態の他の変形例におけるキャリアを密封手段と遮断手段と分離した状態を示す断面図。
【符号の説明】
【００４７】
２        バレル
２１      後通路
２２      前通路
２３      周壁
２３１    前開口端
２３２    後開口端
３        ニードル手段
３１      ニードルハブ
３２      ニードルカニューレ
４        プランジャ
４１      前端縁
４２      後端縁
５        キャリア
５１      押圧セグメント
５１１    キャビティー
５１４    係合領域
５１５    通気孔
５１６    押圧領域
５１７    テール部
５２      保持セグメント
５２１    外周面
５２３    ヘッド部
５２４    末端
５２５    環状溝
５２６    環状溝
５２７    保持領域
５３      突出部
５５      挟持周壁
５６      挿入孔
５７      引張り領域
６        密封手段
６１０    湾曲セグメント
６１２    側壁
６１３    前端壁
６１５    密封端
６１６    末端
６１７    内面
６１８    保持セグメント
６１９    通孔
６２      引張りセグメント
６２１    環状室
６２２    外面
６２３    遮断手段
６２５    リブ
６３      遮断手段
６３１    リブ
６４      遮断手段
６５      遮断手段
６５１    先端
６７      遮断手段
６７２    当接環
６７３    リブ
６７４    被挟持端
６７５    リブ
６７７    挿入ヘッド
６８      遮断手段
６９      遮断手段
６９５    先端
【図１】
2005329220.tif 000003
【図２】
2005329220.tif 000004
【図３】
2005329220.tif 000005
【図４】
2005329220.tif 000006
【図５】
2005329220.tif 000007
【図６】
2005329220.tif 000008
【図７】
2005329220.tif 000009
【図８】
2005329220.tif 000010
【図９】
2005329220.tif 000011
【図１０】
2005329220.tif 000012
【図１１】
2005329220.tif 000013
【図１２】
2005329220.tif 000014
【図１３】
2005329220.tif 000015
【図１４】
2005329220.tif 000016
【図１５】
2005329220.tif 000017
【図１６】
2005329220.tif 000018
【図１７】
2005329220.tif 000019
【図１８】
2005329220.tif 000020
【図１９】
2005329220.tif 000021
【図２０】
2005329220.tif 000022
【図２１】
2005329220.tif 000023
【図２２】
2005329220.tif 000024
【図２３】
2005329220.tif 000025
【図２４】
2005329220.tif 000026
【図２５】
2005329220.tif 000027
【図２６】
2005329220.tif 000028
【図２７】
2005329220.tif 000029
【図２８】
2005329220.tif 000030
【図２９】
2005329220.tif 000031
【図３０】
2005329220.tif 000032
【図３１】
2005329220.tif 000033
【図３２】
2005329220.tif 000034
【図３３】
2005329220.tif 000035
【図３４】
2005329220.tif 000036
【図３５】
2005329220.tif 000037
【図３６】
2005329220.tif 000038
【図３７】
2005329220.tif 000039
【図３８】
2005329220.tif 000040
【図３９】
2005329220.tif 000041